(57)【要約】【課題】インスツルメントホース側に設けられている接続端子を、ユニット側に設けられている複数個の接続端子のいずれにもワンタッチにて接続可能とし、ユニット側の接続端子のうちの好きな接続端子に接続可能とする。【解決手段】インスツルメントホース９は、ワークテーブル２側に固定された複数の接続端子２０1〜２０4のうちの任意の接続端子にワンタッチ形式にて着脱自在に接続される接続端子１２を有する。ワークテーブル（ユニット本体）２には、インスツルメントホース９に接続されたハンドピースの種類に対応した複数対の電気接点と、該電気接点間の１つを選択的に橋絡するための操作レバー３０1〜３０4を有し、該操作レバーにより、ユニット本体側の当該接続端子に接続されたインスツルメントの種類に対応して前記電気接点間の１つを橋絡し、該接続端子に接続されたハンドピースに適したエアー，電気，水等を供給する。【選択図】図１
2007151867.tif 000002
【特許請求の範囲】
【請求項１】
歯科ユニット本体側に固定された第１の接続端子にワンタッチ形式にて着脱自在に接続される第２の接続端子を有するインスツルメントホースと、該インスツルメントホースの前記第２の接続端子が接続される前記第１の接続端子を有するユニット本体とから成り、前記ユニット本体には、前記インスツルメントホースに接続されたハンドピースの種類に対応した複数対の電気接点と、該電気接点間の１つを選択的に橋絡するための操作レバーを有し、該操作レバーにより前記ユニット本体側の接続端子に接続されたインスツルメントの種類に対応して前記電気接点間の１つを橋絡し、該橋絡した電気接点間を判別し、該接続端子に接続されたハンドピースに適したエアー，電気，水等を供給するようにしたことを特徴とする歯科治療ユニット。
【請求項２】
前記ユニット本体には、前記複数対の電気接点を橋絡する前記操作レバーの各位置に対応して、接続されたインスツルメントを表示する印を有することを特徴とする請求項１に記載の歯科治療ユニット。
【発明の詳細な説明】
【技術分野】
【０００１】
本発明は、歯科治療ユニット、より詳細には、歯科治療において、歯科ユニット本体にワンタッチ形式で着脱自在に装着され、歯科治療ハンドピースに水，エアー，電気等を供給するインスツルメントホースの端子構造に係り、歯科ユニット本体側に複数の接続端子がある場合に、歯科ユニット本体側の所望の接続端子に所望のインスツルメントホースを接続可能としたものである。
【背景技術】
【０００２】
図３は、本発明が適用される歯科治療ユニットの一例を示す全体構成図で、図中、１０は歯科治療ユニットで、該ユニット１０は、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図４は、図３に示したインスツルメントホース９をユニット本体にワンタッチにて着脱自在に接続するようにした例を説明するための拡大図で、図中、２は図３に示したワークテーブル２に相当するワークテーブルで、該ワークテーブル２の下端面には、インスツルメントホース９の端子１２を着脱自在に接続するための接続端子２０が設けられており、通常は、この接続端子２０にインスツルメントホース９の端子１２がワンタッチ形成にて接続され、歯科治療ユニット１０側の水回路、エアー回路、電気回路等がハンドピース８側の水回路、エアー回路、電気回路等と接続され、所望の歯科治療が行なわれるようになっている。なお、図には、接続端子２０をワークテーブル２の下端面に設けた例を示したが、この接続端子２０は、ワークテーブルの下端面に限定されるものではなく、ユニット側の所望の箇所に設けてもよい。
【０００４】
最近の歯科治療ユニットにおいては、図４に示したように、インスツルメントホース９は、一方の端部１１にはハンドピース（インスツルメント）８が着脱自在に又は一体的に装着され、他方の端部には、接続端子２０に着脱自在に接続される接続端子１２が設けられている。この接続端子１２には、例えば、ロック部材１３が設けられており、このロック部材１３の爪を接続端子２０に設けられた引掛け孔２１に着脱させることにより、該インスツルメントホース９を歯科治療ユニット１０に対してワンタッチ形式にて着脱できるようになっている。
【０００５】
図４には、ワークテーブル２に単一のインスツルメントホースが接続される例を示したが、実際には、図３に示したように、ワークテーブル２には多数種のインスツルメントホース９が接続され、それぞれのインスツルメントホース９の先端には、該インスツルメントホース９に適したハンドピース８が接続されるようになっており、ワークテーブル２側（ユニット側）に設けられた接続端子２０とインスツルメントホース９側に設けられた接続端子１２とは対の関係になっており、ワークテーブル２側の接続端子２０とインスツルメントホース９側の接続端子１２とは固定関係になっており、インスツルメントホース９側の接続端子１２をワークテーブル２側の任意所望の接続端子に接続することは不可能であり、使い勝手が悪かった。
【発明の開示】
【発明が解決しようとする課題】
【０００６】
本発明は、上述のごとき不具合を解決するためになされたもので、特に、インスツルメントホース側に設けられている接続端子を、ワークテーブル（ユニット側）側に設けられている複数個の接続端子のいずれにも接続可能とし、もって、使用しようとするインスツルメントホースをユニット側に設置されている接続端子のうちの好きな接続端子に接続可能とし、インスツルメントホースの接続箇所を現場で変更することができ、更には、新型のインスツルメントが開発された時等に、インスツルメントホースの差し替え、或いは、追加できるようにすることを目的としてなされたものである。
【課題を解決するための手段】
【０００７】
請求項１の発明は、歯科ユニット本体側に固定された第１の接続端子にワンタッチ形式にて着脱自在に接続される第２の接続端子を有するインスツルメントホースと、該インスツルメントホースの前記第２の接続端子が接続される前記第１の接続端子を有するユニット本体とから成り、前記ユニット本体には、前記インスツルメントホースに接続されたハンドピースの種類に対応した複数対の電気接点と、該電気接点間の１つを選択的に橋絡するための操作レバーを有し、該操作レバーにより前記ユニット本体側の接続端子に接続されたインスツルメントの種類に対応して前記電気接点間の１つを橋絡し、該橋絡した電気接点間を判別し、該接続端子に接続されたハンドピースに適したエアー，電気，水等を供給するようにしたことを特徴としたものである。
【０００８】
請求項２の発明は、請求項１の発明において、前記ユニット本体には、前記複数対の電気接点を橋絡する前記操作レバーの各位置に対応して、接続されたインスツルメントを表示する印を有することを特徴としたものである。
【発明の効果】
【０００９】
本発明によると、ユニット側に設けられた複数個の接続端子のうちの任意所望の接続端子にインスツルメントホース側の接続端子を接続可能としたので、術者は、ユニット側の一番使い勝手のよい接続端子にインスツルメントホースを接続して使用することができ、効率的に施術することができる。或いは、使用頻度の高いインスツルメントの順に、使い勝手のよい場所に配設されているユニット側接続端子を選んで接続することにより、効率良く歯科治療を行うことができる。
【発明を実施するための最良の形態】
【００１０】
図１は、本発明の一実施例を説明するための要部概略構成図で、ワークテーブル（ユニット）２側には、同一構成の複数個の接続端子２０（２０1〜２０4）が設けられており、これら複数の接続端子（第１の接続端子）２０のうちの任意所望の接続端子にインスツルメントホース９側の接続端子（第２の接続端子）１２がワンタッチにて着脱自在に接続されるようになっている。図１には、インスツルメントホースは、一本分しか記載されていないが、実際には、エアータービン（ＡＴ）用、マイクロエンジン（ＭＥ）用、超音波スケーラ（ＯＥ）用、…等治療目的に応じた多数種のインスツルメントホースが準備されており、これらが、ワークテーブル２側（ユニット側）の任意所望の接続端子に接続できるようになっている。
【００１１】
上述のように、本発明によると、ユニット（ワークテーブル）側に設けられた第１の接続端子とインスツルメントホース側に設けられた第２の接続端子とは、任意所望の接続端子同志を接続可能であるが、インスツルメントホース９の先端部には、それぞれ異なるハンドピースが接続されており、ハンドピース毎に、インスツルメントホース９を通して供給されるエアー，電気，水等が異なり、例えば、エアータービンにおいては、動力源（タービン回転用）としての圧縮エアー流路、ハンドピース冷却用の水回路、照明光源用の電力線等が配設され、マイクロエンジンにおいては、動力源（モータ駆動用）としての電力線（照明光源の電源を兼ねる）、冷却用の水回路等が配設されており、接続されたハンドピース８に適したエアー，電気，水等を該インスツルメントホース９を通して供給する。
【００１２】
上述のように、本発明においては、ユニット側の各接続端子には、ハンドピースの異なる任意所望のインスツルメントホースを接続することが可能であるが、ユニット側では、接続されたハンドピースに適したエアー，電気，水等をインスツルメントホースに供給する必要がある。そのためには、ユニット側で、該ユニット側に接続されたインスツルメントホースを識別し、該識別されたインスツルメントホース（ハンドピース）に適したエアー，電気，水等を供給するようにする必要がある。
【００１３】
しかし、接続されたインスツルメントホースに該インスツルメントホースに適したエアー，電気，水等を供給するためには、ユニット側において、接続されたインスツルメントホースがどのような種類（用途）のハンドピースが接続されているインスツルメントホースであるかを知らなければ、接続されたインスツルメントホース（ハンドピース）に適したエアー，電気，水等を供給することができない。
【００１４】
本発明は、上述のごとき実情に鑑み、ユニット側において、接続されたインスツルメントホースが何用であるか（例えば、エアータービン用であるか、マイクロエンジン用であるか等）をユニット側の制御部に知らせ、ユニット側で、接続されたインスツルメントホースに適したエアー，電気，水等を供給するようにしたもので、図１において、３０（３０1〜３０4）はワークテーブル（ユニット本体）２側に設けられた操作レバーで、各操作レバー３０1〜３０4は、複数の固定位置ＡＴ（エアータービン）、ＭＥ（マイクロエンジン）、ＯＥ（超音波スケーラ）、ＭＳ（マルチシリンジ）等のハンドピースの種類に対応した位置の１つに選択的に固定されるようになっている。
【００１５】
インスツルメントホースの接続端子１２は全てユニット（ワークテーブル）２側の接続端子に接続可能であるが、各インスツルメントホース９の先端に取り付けられているハンドピースは、各インスツルメントホース毎に異なり、従って、各インスツルメントホース毎に供給されるエアー，電気，水等が異なる。そのため、ユニット（ワークテーブル）２側では、接続されているハンドピースがどのような種類のハンドピースであるか、例えば、エアータービンであるか、マイクロエンジンであるか等を知る必要がある。
【００１６】
レバー３０（３０1〜３０4）は、インスツルメントホース９に接続されているハンドピースの種類をユニット側の制御部に知らせるもので、例えば、図１において、操作レバー３０1がＭＥと表示されている位置にある時は、ユニット本体側では、接続端子２０1にはマイクロエンジン（ＭＥ）ハンドピースが接続されているものと判断し、該マイクロエンジンハンドピースに適した電気，エアー，水等を供給する準備をし、該ハンドピースが使用された時は、該ハンドピースに適した電気，エアー，水等を供給する。斯様にして、操作レバー３０１〜３０4に対応する接続端子２０1〜２０4毎に接続されているハンドピースに対応した電気，エアー，水等を供給するようにする。
【００１７】
図２は、前記操作レバー３０（３０1〜３０4）の構成及びその動作を説明するための図で、図２（Ａ）は、操作レバー３０が操作される状態を外観的に示したもので、該操作レバー３０（３０1，３０2）は、ＡＴ，ＭＥ，ＯＥ，ＭＳ等ハンドピースの種類（用途）を表す印が付された位置にて固定されるようになっており、それらの位置で電気接点４１1，４１2間、４２1，４２2間、４３1，４３2…間を橋絡する。図２（Ｃ）は、電気接点４１1，４１2間を操作レバー３０によって橋絡している時の状態を示す。電気接点４１1，４１2間は常時は開放されており、これら間は非導通になっているが、操作レバー３０が操作されると、該操作レバー３０の導電部３０’がこれらの電気接点４１1，４１2間を橋絡（短絡）し、ユニット本体側では、これら電極４１1，４１2間が選択されたこと、換言すれば、該接続端子にはＡＴ（エアータービン）が接続されたと判断し、エアータービンに供給するのに適したエアー，電気，水等を準備し、該エアータービンが使用された時に、該エアータービンに適したエアー，電気，水等を供給する。
【図面の簡単な説明】
【００１８】
【図１】本発明の一実施例を説明するための要部概略構成図である。
【図２】操作レバーの構成及びその動作を説明するための図である。
【図３】本発明が適用される歯科治療ユニットの一例を示す全体構成図である。
【図４】図３に示したインスツルメントホースをユニット本体にワンタッチにて着脱自在に接続するようにした例を説明するための拡大図である。
【符号の説明】
【００１９】
２…ワークテーブル、８…ハンドピース、９…インスツルメントホース、１０…歯科治療ユニット、１２…インスツルメントホース側接続端子（第２の接続端子）、２０（２０1〜２０n）…ユニット（ワークテーブル）側接続端子（第１の接続端子）、３０（３０1〜３０n）…操作レバー、３０’…導電部、４１1（４１2），４２1（４２2），４３1（４３2），４４1（４４2）…電気接点。
【図１】
2007151867.tif 000003
【図２】
2007151867.tif 000004
【図３】
2007151867.tif 000005
【図４】
2007151867.tif 000006